(57)【特許請求の範囲】
【請求項１】
表を表示する表表示手段と、
この表表示手段により表示された表上の任意の範囲を指定する範囲指定手段と、
この範囲指定手段により指定された表上の範囲を表示する範囲表示手段と、
この範囲表示手段により表示された範囲内の表を拡大して表示する拡大表示手段と、
前記範囲表示手段により表示された範囲内の表データに基づきグラフを表示するグラフ表示手段と、
前記拡大表示手段による表の拡大表示または前記グラフ表示手段によるグラフの表示を解除する解除手段と、
この解除手段により表の拡大表示またはグラフの表示を解除した際に、前記表表示手段による表及び前記範囲表示手段による表上の範囲を、当該範囲を前記表の拡大表示の解除後か又は前記グラフ表示の解除後かに応じて識別可能に再表示する再表示手段と、
を備えたことを特徴とするデータ表示装置。
【請求項２】
文字・数式を表示する文字・数式表示手段と、
この文字・数式表示手段により表示された文字・数式上の任意の範囲を指定する範囲指定手段と、
この範囲指定手段により指定された文字・数式上の範囲を表示する範囲表示手段と、
この範囲表示手段により表示された範囲内の文字・数式を拡大して表示する拡大表示手段と、
前記範囲表示手段により表示された範囲内の文字・数式データに基づきグラフを表示するグラフ表示手段と、
前記範囲表示手段により表示された範囲内の文字・数式データに基づき表を表示する表表示手段と、
前記拡大表示手段による文字・数式の拡大表示または前記グラフ表示手段によるグラフの表示または前記表表示手段による表の表示を解除する解除手段と、
この解除手段により文字・数式の拡大表示またはグラフの表示または表の表示を解除した際に、前記文字・数式表示手段による文字・数式及び前記範囲表示手段による文字・数式上の範囲を、当該範囲を前記文字・数式の拡大表示の解除後か又は前記グラフ表示の解除後か又は前記表表示の解除後かに応じて識別可能に再表示する再表示手段と、
を備えたことを特徴とするデータ表示装置。
【請求項３】
表を表示する表表示ステップと、
この表表示ステップにより表示された表上の任意の範囲を指定する範囲指定ステップと、
この範囲指定ステップにより指定された表上の範囲を表示する範囲表示ステップと、
この範囲表示ステップにより表示された範囲内の表を拡大して表示する拡大表示ステップと、
前記範囲表示ステップにより表示された範囲内の表データに基づきグラフを表示するグラフ表示ステップと、
前記拡大表示ステップによる表の拡大表示または前記グラフ表示ステップによるグラフの表示を解除する解除ステップと、
この解除ステップにより表の拡大表示またはグラフの表示を解除した際に、前記表表示ステップによる表及び前記範囲表示ステップによる表上の範囲を、当該範囲を前記表の拡大表示の解除後か又は前記グラフ表示の解除後かに応じて識別可能に再表示する再表示ステップと、
からなることを特徴とするデータ表示方法。
【請求項４】
文字・数式を表示する文字・数式表示ステップと、
この文字・数式表示ステップにより表示された文字・数式上の任意の範囲を指定する範囲指定ステップと、
この範囲指定ステップにより指定された文字・数式上の範囲を表示する範囲表示ステップと、
この範囲表示ステップにより表示された範囲内の文字・数式を拡大して表示する拡大表示ステップと、
前記範囲表示ステップにより表示された範囲内の文字・数式データに基づきグラフを表示するグラフ表示ステップと、
前記範囲表示ステップにより表示された範囲内の文字・数式データに基づき表を表示する表表示ステップと、
前記拡大表示ステップによる文字・数式の拡大表示または前記グラフ表示ステップによるグラフの表示または前記表表示ステップによる表の表示を解除する解除ステップと、
この解除ステップにより文字・数式の拡大表示またはグラフの表示または表の表示を解除した際に、前記文字・数式表示ステップによる文字・数式及び前記範囲表示ステップによる文字・数式上の範囲を、当該範囲を前記文字・数式の拡大表示の解除後か又は前記グラフ表示の解除後か又は前記表表示の解除後かに応じて識別可能に再表示する再表示ステップと、
からなることを特徴とするデータ表示方法。
【請求項５】
表示装置のコンピュータを制御するためのデータ表示処理プログラムであって、前記コンピュータを、
表を表示する表表示手段、
この表表示手段により表示された表上の任意の範囲を指定する範囲指定手段、
この範囲指定手段により指定された表上の範囲を表示する範囲表示手段、
この範囲表示手段により表示された範囲内の表を拡大して表示する拡大表示手段、
前記範囲表示手段により表示された範囲内の表データに基づきグラフを表示するグラフ表示手段、
前記拡大表示手段による表の拡大表示または前記グラフ表示手段によるグラフの表示を解除する解除手段、
この解除手段により表の拡大表示またはグラフの表示を解除した際に、前記表表示手段による表及び前記範囲表示手段による表上の範囲を、当該範囲を前記表の拡大表示の解除後か又は前記グラフ表示の解除後かに応じて識別可能に再表示する再表示手段、
として機能させるようにしたコンピュータ読み込み可能なデータ表示処理プログラム。
【請求項６】
表示装置のコンピュータを制御するためのデータ表示処理プログラムであって、前記コンピュータを、
文字・数式を表示する文字・数式表示手段、
この文字・数式表示手段により表示された文字・数式上の任意の範囲を指定する範囲指定手段、
この範囲指定手段により指定された文字・数式上の範囲を表示する範囲表示手段、
この範囲表示手段により表示された範囲内の文字・数式を拡大して表示する拡大表示手段、
前記範囲表示手段により表示された範囲内の文字・数式データに基づきグラフを表示するグラフ表示手段、
前記範囲表示手段により表示された範囲内の文字・数式データに基づき表を表示する表表示手段、
前記拡大表示手段による文字・数式の拡大表示または前記グラフ表示手段によるグラフの表示または前記表表示手段による表の表示を解除する解除手段、
この解除手段により文字・数式の拡大表示またはグラフの表示または表の表示を解除した際に、前記文字・数式表示手段による文字・数式及び前記範囲表示手段による文字・数式上の範囲を、当該範囲を前記文字・数式の拡大表示の解除後か又は前記グラフ表示の解除後か又は前記表表示の解除後かに応じて識別可能に再表示する再表示手段、
として機能させるようにしたコンピュータ読み込み可能なデータ表示処理プログラム。
【発明の詳細な説明】
【０００１】
【発明の属する技術分野】
本発明は、グラフ表示機能を有する電子計算装置などのデータ表示装置、データ表示方法、及びデータ表示処理プログラムに関する。
【０００２】
【従来の技術】
例えばグラフ表示機能を有する電子計算装置では、任意の関数式Ｙ＝ｆ（Ｘ）を入力してグラフの表示を指示すると、表示画面上に設定されたＸＹ座標に従って各表示ドット毎のＸ値に対応したＹ値が計算され、そのＸＹ座標値（Ｘ，Ｙ）に対応する表示ドットが順次点灯表示されてグラフの描画表示が行われるようになっている。
【０００３】
そして、このような電子計算装置では、表示画面上に表示されたグラフ上の任意の範囲を指定して「ズーム表示」を指示すると、当該指定された範囲内のグラフ表示データが前記表示画面のサイズに合わせて拡大されて表示されるズーム表示機能を備えている。
【０００４】
【発明が解決しようとする課題】
しかしながら、前記グラフ表示機能を有する電子計算装置の従来のズーム表示機能では、ズーム表示の対象となるグラフ範囲を指定して当該ズーム範囲のグラフデータを拡大表示させた後に、そのズーム表示を解除させて元のグラフ表示画面に復帰させると、前記グラフに対するズーム指定範囲やズーム画面などの情報は全て消去されるため、再び前回同様のグラフ範囲に対応するズーム画面を表示させたい場合には、もう一度最初のグラフ範囲の指定操作からやり直さなければならず、非常に面倒であるばかりか、前回と完全同一のズーム範囲を指定することが難しくなる問題がある。
【０００５】
本発明は、前記のような問題に鑑みてなされたもので、表示画面上のデータに対する指定範囲の情報が消去されることになく、容易に繰り返し同一のデータ範囲を指定して該指定範囲内のデータ処理を行うことが可能になるデータ表示装置、データ表示方法、及びデータ表示処理プログラムを提供することを目的とする。
【００１０】
【課題を解決するための手段】
本発明の請求項１に係るデータ表示装置では、表表示手段により表示された表上の任意の範囲を指定すると、この指定された表上の範囲が表示され、この表示された範囲内の表が拡大されて表示されるか、あるいは当該範囲内の表データに基づくグラフが表示される。そして、前記表の拡大表示または前記グラフの表示を解除すると、前記拡大前あるいはグラフ表示前に表表示された表及び前記範囲表示された表上の範囲が、その範囲を前記表の拡大表示の解除後か又は前記グラフ表示の解除後かに応じ識別可能として再表示されるので、同一の表範囲に対する拡大処理や同表範囲のデータに基づくグラフ表示処理が簡単且つ選択容易に繰り返せることになる。
【００１２】
また、本発明の請求項２に係るデータ表示装置では、文字・数式表示手段により表示された文字・数式上の任意の範囲を指定すると、この指定された文字・数式上の範囲が表示され、この表示された範囲内の文字・数式が拡大されて表示されるか、あるいは当該範囲内の文字・数式データに基づくグラフが表示されるか、あるいは当該範囲内の文字・数式データに基づく表が表示される。そして、前記文字・数式の拡大表示または前記グラフの表示または前記表の表示を解除すると、前記拡大前あるいはグラフ表示前あるいは表表示前に文字・数式表示された文字・数式及び前記範囲された文字・数式上の範囲が、その範囲を前記文字・数式の拡大表示の解除後か又は前記グラフ表示の解除後か又は前記表表示の解除後かに応じ識別可能として再表示されるので、同一の文字・数式範囲に対する拡大処理や同文字・数式範囲のデータに基づくグラフ表示処理や表表示処理が簡単且つ選択容易に繰り返せることになる。
【００１６】
【発明の実施の形態】
以下、図面を参照して本発明の実施の形態について説明する。
【００１７】
図１は、本発明のデータ表示装置の実施形態に係るグラフ表示機能付き電子計算装置１０の電子回路の構成を示すブロック図である。
【００１８】
この電子計算装置１０はコンピュータによって構成され、ＣＰＵ(central processing unit)を用いた制御部１１を備えている。
【００１９】
制御部（ＣＰＵ）１１は、キー入力部１２から入力されるキー入力データや、カラー液晶表示部１３の表示画面上に重ねて設けられたタブレット１４から位置検出回路１５を介して入力されるタッチ位置データに応じて、ＲＯＭ１６に予め記憶されているシステムプログラムを起動させ、あるいは外部記録媒体１７に予め記憶されている計算装置制御用プログラムを記録媒体読み取り部１８により読み取らせて起動させ、あるいは通信制御部１９によって他のコンピュータ端末から通信ネットワークＮを介して受信された計算装置制御用プログラムを起動させ、ＲＡＭ２０をワークメモリとして回路各部の動作制御を行うものである。
【００２０】
この制御部（ＣＰＵ）１１には、前記キー入力部１２、カラー液晶表示部１３、タブレット１４、位置検出回路１５、ＲＯＭ１６、記録媒体読み取り部１８、通信制御部１９、ＲＡＭ２０が接続され、また、カラー液晶表示部１３は表示駆動回路２１を介して接続される。
【００２１】
図２は前記電子計算装置１０のキー入力部１２に備えられる各種のキーの配列例を示す図である。
【００２２】
キー入力部１２には、数値・記号・文字キー１２ａ、「式」キー１２ｂ、「グラフ」キー１２ｃ、「レンジ」キー１２ｄ、「ズーム」キー１２ｅ、「ポインタ」キー１２ｆ、「表」キー１２ｇ、「プログラム」キー１２ｈ、「範囲」キー１２ｉ、「↑」「↓」「←」「→」の各カーソルキー１２ｊ、「Ｆ１」〜「Ｆ５」の各ファンクションキーキー１２ｋ、「決定」キー１２ｌ、「実行」キー１２ｍ、「取消」キー１２ｎ、そして、「Ｙ」キー１２ｏ、「Ｎ」キー１２ｐ等が備えられる。
【００２３】
数値・記号・文字キー１２ａは、アルファベット，数字などの各種の文字入力キーと共に、演算式や関数式を入力するための各種演算記号や関数記号などの個々のキーをそれぞれ配列した数値・記号・文字の入力用キー群からなる。
【００２４】
「式」キー１２ｂは、任意の演算式や関数式（Ｙ＝ｆ（Ｘ））を新たに入力したり、既に入力された式データを表示させる際に操作される。
【００２５】
「グラフ」キー１２ｃは、前記入力された関数式（Ｙ＝ｆ（Ｘ））や表データ上の各種統計値（Ｘ：Ｙ）などに対応するグラフの描画表示を指示する際に操作される。
【００２６】
「レンジ」キー１２ｄは、グラフ表示を行うための表示画面上のＸ座標及びＹ座標の各座標レンジ（Ｘmin，Ｘmax）（Ｙmin，Ｙmax）を入力設定する際に操作される。
【００２７】
「ズーム」キー１２ｅは、表示されたグラフデータ上や表データ上、あるいはその他の数値・文字データ上などにおいて、任意の範囲を指定して拡大表示などのデータ処理を行わせる際、及び当該「ズーム」キー１２ｅに基づく指定範囲内データの処理表示状態を解除する際に操作される。
【００２８】
「ポインタ」キー１２ｆは、表示データ上の任意の位置にポインタＰにより指定したドットマークを付加する際に操作される。
【００２９】
「表」キー１２ｇは、任意の数値統計データなどを表データとして入力し表示させる際に操作される。
【００３０】
「プログラム」キー１２ｈは、任意のプログラムを入力表示させて当該プログラムに応じた演算処理を実行させる際に操作される。
【００３１】
「範囲」キー１２ｉは、表示されたプログラム上で任意のステップのプログラム範囲を指定する際に操作される。
【００３２】
カーソルキー「↑」「↓」「←」「→」１２ｊは、それぞれ表示されたデータの選択，送り操作や、カーソル，ポインタの移動操作を行なう際等に操作される。
【００３３】
ファンクションキー「Ｆ１」〜「Ｆ５」１２ｋは、それぞれ各種の処理動作上で「Ｆ１」〜「Ｆ５」の記号をもって表示指示される機能の実行を指定する際に操作される。
【００３４】
「決定」キー１２ｌは、入力表示されたデータを確定したり、表示データ上でポインタＰによる指示位置や指示範囲を確定したりする際に操作される。
【００３５】
「実行」キー１２ｍは、指定あるいは選択されている動作の実行を指示する際に操作される。
【００３６】
「取消」キー１２ｎは、現在実行中にある処理を取り消し、処理前の状態に復帰させる際に操作される。
【００３７】
「Ｙ」キー１２ｏ及び「Ｎ」キー１２ｐは、各種の処理動作上で表示されるユーザ選択を促すメッセージに対応して「Ｙｅｓ」又は「Ｎｏ」を入力する際に操作される。
【００３８】
タブレット１４は、カラー液晶表示部１３の表示画面上に重ねて設けられ、タッチされた位置に応じた電圧信号を発生するもので、このタブレット１４から出力されるタッチ位置に応じた電圧信号に基づき、位置検出回路１５により表示画面に対応させた座標が検出され、このタッチ位置座標に応じて制御部（ＣＰＵ）１１により操作の内容が判断される。
【００３９】
ＲＯＭ１６には、本電子計算装置１０の電子回路におけるの全体の処理を司るシステムプログラムが予め記憶されると共に、計算処理、グラフ表示処理、表表示処理、プログラム処理、その他のデータ入力処理等、前記各種の処理動作に対応したアプリケーションプログラムも予め記憶される。
【００４０】
図３は前記電子計算装置１０のＲＡＭ２０に確保される主要なデータメモリの構成を示す図である。
【００４１】
ＲＡＭ２０には、表示データメモリ２０ａ、入力データメモリ２０ｂ、式データメモリ２０ｃ、レンジデータメモリ２０ｄ、グラフデータメモリ２０ｅ、グラフズーム範囲データメモリ２０ｆ、ポインタデータメモリ２０ｇ、表データメモリ２０ｈ、表ズーム範囲データメモリ２０ｉ、文字・数式ズーム範囲データメモリ２０ｊ、プログラムデータメモリ２０ｋ、実行ステップデータメモリ２０ｌ、及びその他のワークエリア２０ｍ等の各種のデータメモリが備えられる。
【００４２】
表示データメモリ２０ａには、前記各種の処理動作においてカラー液晶表示部１３に表示すべき表示データがビットマップのパターンデータとして展開されて記憶される。
【００４３】
入力データメモリ２０ｂには、各種の処理動作上でキー入力された文字や数値・記号などからなる入力データが記憶される。
【００４４】
式データメモリ２０ｃには、キー入力された任意の関数式（Ｙ＝ｆ（Ｘ））や任意の計算式が複数の式データのそれぞれに番号付けされて記憶される。
【００４５】
レンジデータメモリ２０ｄには、前記「レンジ」キー１２ｄの操作に基づき入力された、グラフ表示画面上のＸ座標及びＹ座標の各座標レンジ（Ｘmin，Ｘmax）（Ｙmin，Ｙmax）が記憶される。
【００４６】
グラフデータメモリ２０ｅには、前記式データメモリ２０ｃに記憶されたグラフ関数式のそれぞれに対応した前記表示座標レンジ（Ｘmin，Ｘmax）（Ｙmin，Ｙmax）上でのＸ座標値（x1,x2,…）に対するＹ座標値（y1,y2,…）のテーブルデータが記憶されると共に、このグラフ関数式に対応するＸ，Ｙ座標値(x1,y1、x2,y2、…)に従ったグラフ描画データが前記表示データメモリ２０ａと同一のメモリ領域上に書き込まれて記憶される。
【００４７】
グラフズーム範囲データメモリ２０ｆには、グラフ表示画面上で指定されたズーム対象範囲ａに対応する対角２点の座標データ(x1,y1)(x2,y2)がその指定範囲毎に記憶されると共に、当該各指定範囲毎の表示色が指定記憶される。
【００４８】
ポインタデータメモリ２０ｇには、表示されたグラフ上の任意の位置で指示表示されるポインタＰのＸ，Ｙ座標値（Ｘｐ，Ｙｐ）が記憶される。
【００４９】
表データメモリ２０ｈには、統計データなどを入力して作成表示された表データが記憶される。
【００５０】
表ズーム範囲データメモリ２０ｉには、表表示画面上で指定されたズーム対象範囲ａに対応する各セルの位置データがその指定範囲毎に記憶されると共に、当該各指定範囲毎の表示色が記憶される。
【００５１】
文字・数式・ズーム範囲データメモリ２０ｊには、入力データメモリ２０ｂに書き込まれた文字・数式データの表示画面上で指定されたズーム対象範囲ａに対応する行列の位置データがその指定範囲毎に記憶されると共に、当該各指定範囲毎のデータの意味する種別（表・グラフ・図など）、及び当該指定データ範囲の表示色が記憶される。
【００５２】
プログラムデータメモリ２０ｋには、任意に入力されて作成されたプログラムデータが記憶される。
【００５３】
実行ステップデータメモリ２０ｌには、前記プログラムデータの表示画面上で指定されたプログラムステップのステップ値（ステップ範囲）が記憶されると共に、その指定ステップ範囲内でのプログラムの実行に伴うループ処理回数、及び当該実行プログラム範囲の表示色が記憶される。
【００５４】
その他のワークエリア２０ｍには、各種動作の制御処理に伴い制御部（ＣＰＵ）１１により入出力されるデータが必要に応じて一時的に記憶される。
【００５５】
次に、前記構成の電子計算装置における第１実施形態〜第１１実施形態の各データ表示機能について説明する。
【００５６】
（第１実施形態）
図４は前記電子計算装置の第１実施形態によるグラフ表示処理を示すフローチャートである。
【００５７】
図５は前記電子計算装置の第１実施形態のグラフ表示処理に伴うグラフ画面の操作表示状態を示す図である。
【００５８】
キー入力部１２の「式」キー１２ｂの操作により、液晶表示部１３に表示された式入力表示画面にあって、任意の関数式「ｙ１＝ｆ１（ｘ），ｙ２＝ｆ２（ｘ），…」を入力すると、入力された各関数式のデータはＲＡＭ２０内の式データメモリ２０ｃに記憶される。
【００５９】
このように任意の関数式が式データメモリ２０ｃに記憶された状態で、キー入力部１２の「グラフ」キー１２ｃが操作されると、式データメモリ２０ｃに記憶されている前記複数の関数式ｙ１，ｙ２，…が読み出されて表示される。
【００６０】
この関数式の表示画面にあって、カーソルキー１２ｊの操作によりグラフ化したい１つの関数式（例えばｙ１）を選択して指定し、「実行」キー１２ｍを操作してグラフ描画の実行を指示すると、レンジデータメモリ２０ｄに記憶されたグラフ座標レンジ上での前記指定関数式ｙ１に対応するＸ，Ｙ座標データが計算されてグラフデータメモリ２０ｅに記憶されると共に、グラフデータｙ１が描画され、例えば図５（Ａ）に示すように、グラフ表示画面Ｇ１が液晶表示部１３に表示される。
【００６１】
このグラフ表示画面Ｇ１において、グラフデータｙ上の任意の範囲を拡大表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の矩形範囲の対角点を指定し「決定」キー１２ｌを操作すると、指定されたズーム対象範囲に対応する対角点の座標データがＲＡＭ２０内のグラフズーム範囲データメモリ２０ｆに記憶されると共に、その範囲指定枠ａが表示される（ステップＡ１）。
【００６２】
ここで、図５（Ｂ）に示すように、「実行」キー１２ｍの操作によりズーム表示の実行を指示すると、前記グラフズーム範囲データメモリ２０ｆに記憶されたズーム対象範囲に対応するグラフ部分データがグラフデータメモリ２０ｅから読み出され、表示データメモリ２０ａにおける表示画面領域の全領域に対応付けられて拡大されて描画され、指定範囲のグラフズーム画面Ｚ１が液晶表示部１３に表示される（ステップＡ２）。
【００６３】
この後、図５（Ｃ）に示すように、「ズーム」キー１２ｅを再操作してズーム表示の解除を指示すると、グラフデータメモリ２０ｅに記憶されているグラフデータｙの全体を示すグラフ表示画面Ｇ１が再び描画表示されると共に、当該グラフ表示画面Ｇ１上には、前記グラフズーム範囲データメモリ２０ｆに記憶されているズーム対象範囲に対応する範囲指定枠ａが元通りに表示される（ステップＡ３，Ａ４）。
【００６４】
ここで、再び「ズーム」キー１２ｅを操作すると共に、前記グラフ表示画面Ｇ１上に再表示された範囲指定枠ａをポインタＰで指定して「実行」キー１２ｍを操作すると、図５（Ｂ）で示したように、前記同一のズーム対象範囲に対応するグラフズーム画面Ｚ１が繰り返し表示される。
【００６５】
したがって、前記構成の電子計算装置における第１実施形態のデータ表示機能によれば、任意の関数式に対応するグラフデータｙをグラフ表示画面Ｇ１上に表示させ、当該グラフ表示画面Ｇ１において、グラフデータｙ上の任意の範囲をズーム対象範囲として指定すると、その範囲データがグラフズーム範囲データメモリ２０ｆに記憶されると共に対応する範囲指定枠ａが表示される。そして「実行」キー１２ｍの操作により前記指定された範囲データに対応するグラフ部分データのグラフズーム画面Ｚ１を表示させた後に、「ズーム」キー１２ｅを再操作してズーム解除を指示すると、前記グラフズーム範囲データメモリ２０ｆに記憶された範囲データに基づき、前記同一の範囲指定枠ａが表示されたグラフ表示画面Ｇ１が再表示されるので、グラフのズーム表示を解除した場合でも、ズーム表示の履歴を残すことで、同一のズーム対象範囲を簡単に指定して繰り返し同じグラフ部分データの拡大表示を再現できるようになる。
【００６６】
（第２実施形態）
図６は前記電子計算装置の第２実施形態によるグラフ表示処理を示すフローチャートである。
【００６７】
図７は前記電子計算装置の第２実施形態のグラフ表示処理に伴うグラフ画面の操作表示状態を示す図である。
【００６８】
図７（Ａ）に示すような、グラフ表示画面Ｇ１において、グラフデータｙ上の任意の範囲を拡大表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の矩形範囲の対角点を指定し「決定」キー１２ｌを操作すると、指定されたズーム対象範囲に対応する対角点の座標データがＲＡＭ２０内のグラフズーム範囲データメモリ２０ｆに記憶されると共に、その範囲指定枠ａが表示される（ステップＢ１）。
【００６９】
ここで、図７（Ｂ）に示すように、「実行」キー１２ｍの操作によりズーム表示の実行を指示すると、前記グラフズーム範囲データメモリ２０ｆに記憶されたズーム対象範囲に対応するグラフ部分データがグラフデータメモリ２０ｅから読み出され、表示データメモリ２０ａにおける表示画面領域の全領域に対応付けられて拡大されて描画され、指定範囲のグラフズーム画面Ｚ１が液晶表示部１３に表示される（ステップＢ２）。
【００７０】
そして、同図７（Ｂ）に示すように、このグラフズーム画面Ｚ１上に拡大表示されたグラフデータ上の任意の点を、ポインタＰを移動操作して指定すると共に「ポインタ」キー１２ｆを操作して当該ポインタＰによる指定点の確定を指示すると、当該指定点の座標データ（Ｘｐ，Ｙｐ）がＲＡＭ２０内のポインタデータメモリ２０ｇに記憶されると共に、対応する指定点マークＭが表示される（ステップＢ３）。
【００７１】
この後、図７（Ｃ）に示すように、「ズーム」キー１２ｅを再操作してズーム表示の解除を指示すると、グラフデータメモリ２０ｅに記憶されているグラフデータｙの全体を示すグラフ表示画面Ｇ１が再び描画表示されると共に、当該グラフ表示画面Ｇ１上には、前記グラフズーム範囲データメモリ２０ｆに記憶されているズーム対象範囲に対応する範囲指定枠ａが元通りに表示され、さらに前記ポインタデータメモリ２０ｇに記憶されている指定点座標（Ｘｐ，Ｙｐ）に対応する指定点マークＭも共に表示される（ステップＢ３，Ｂ４）。
【００７２】
ここで、再び「ズーム」キー１２ｅを操作すると共に、前記グラフ表示画面Ｇ１上に再表示された範囲指定枠ａをポインタＰで指定して「実行」キー１２ｍを操作すると、図７（Ｂ）で示したように、前記同一のズーム対象範囲に対応するグラフズーム画面Ｚ１が繰り返し表示され、又、前記ポインタ指定点に対応する指定点マークＭも同様に再現表示される。
【００７３】
したがって、前記構成の電子計算装置における第２実施形態のデータ表示機能によれば、前記第１実施形態のデータ表示機能と同様にして、グラフのズーム表示を解除した場合に、ズーム表示の履歴を残すことで、同一のズーム対象範囲（ａ）を簡単に指定して繰り返し同じグラフ部分データの拡大表示を再現できるようになるばかりでなく、グラフズーム画面Ｚ１上でポインタＰにより指定したグラフ上の指定点座標をポインタデータメモリ２０ｇに記憶させ、前記ズーム表示解除後のグラフ表示画面Ｇ１におけるグラフデータ上でも指定点マークＭとして再現表示できるようになり、グラフデータｙ上のより正確な位置での印付けが可能になる。
【００７４】
（第３実施形態）
図８は前記電子計算装置の第３実施形態による表画面表示処理を示すフローチャートである。
【００７５】
図９は前記電子計算装置の第３実施形態の表画面表示処理に伴う表画面の操作表示状態を示す図である。
【００７６】
キー入力部１２の「表」キー１２ｇを操作して、液晶表示部１３の表示画面上に表作成画面を表示させ、例えば複数の関連項目からなる任意の統計データを表内の各セル毎に入力して表データを作成し、ＲＡＭ２０内の表データメモリ２０ｈに記憶させる。
【００７７】
そして、前記「表」キー１２ｇを操作して、前記表データメモリ２０ｈに記憶された表データを、図９（Ａ）に示すように、表表示画面Ｇ２として液晶表示部１３に表示させた状態で、表データ上の任意のセル範囲を拡大表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の矩形範囲の対角点を指定し「決定」キー１２ｌを操作すると、指定されたズーム対象範囲に対応する各セルの位置データがＲＡＭ２０内の表ズーム範囲データメモリ２０ｉに記憶されると共に、その範囲指定枠ａが表示される（ステップＣ１）。
【００７８】
ここで、図９（Ｂ）に示すように、「実行」キー１２ｍの操作によりズーム表示の実行を指示すると、前記表ズーム範囲データメモリ２０ｉに記憶されたズーム対象範囲の各セルの位置データに対応する表部分データが表データメモリ２０ｈから読み出され、表示データメモリ２０ａにおける表示画面領域の全領域に対応付けられて拡大されて描画され、指定範囲の表ズーム画面Ｚ２が液晶表示部１３に表示される（ステップＣ２）。
【００７９】
この後、図９（Ｃ）に示すように、「ズーム」キー１２ｅを再操作してズーム表示の解除を指示すると、表データメモリ２０ｈに記憶されている表データの全体を示す表表示画面Ｇ２が再び表示出力されると共に、当該表表示画面Ｇ２上には、前記表ズーム範囲データメモリ２０ｉに記憶されているズーム対象範囲のセル位置データに対応する範囲指定枠ａが元通りに表示される（ステップＣ３，Ｃ４）。
【００８０】
ここで、再び「ズーム」キー１２ｅを操作すると共に、前記表表示画面Ｇ２上に再表示された範囲指定枠ａをポインタＰで指定して「実行」キー１２ｍを操作すると、図９（Ｂ）で示したように、前記同一のズーム対象範囲のセル位置データに対応する表ズーム画面Ｚ２が繰り返し表示される。
【００８１】
したがって、前記構成の電子計算装置における第３実施形態のデータ表示機能によれば、任意の表データを表表示画面Ｇ２に表示させ、当該表表示画面Ｇ２において、表データ上の任意の範囲をズーム対象範囲として指定すると、その範囲内のセル位置データが表ズーム範囲データメモリ２０ｉに記憶されると共に対応する範囲指定枠ａが表示される。そして「実行」キー１２ｍの操作により前記指定された範囲データに対応する表部分データの表ズーム画面Ｚ２を表示させた後に、「ズーム」キー１２ｅを再操作してズーム解除を指示すると、前記表ズーム範囲データメモリ２０ｉに記憶された範囲データに基づき、前記同一の範囲指定枠ａが表示された表表示画面Ｇ２が再表示されるので、表のズーム表示を解除した場合でも、ズーム表示の履歴を残すことで、同一のズーム対象範囲を簡単に指定して繰り返し同じ表部分データの拡大表示を再現できるようになる。
【００８２】
また、表データ中の各セル内の細かなデータを容易にズーム表示で確認できるようになる
（第４実施形態）
図１０は前記電子計算装置の第４実施形態による表画面表示処理を示すフローチャートである。
【００８３】
図１１は前記電子計算装置の第４実施形態の表画面表示処理に伴う表画面の操作表示状態を示す図である。
【００８４】
図１１（Ａ）に示すような、所望の表データを表示させた表表示画面Ｇ２の表示状態にあって、当該表データ上の任意のセル範囲を拡大表示、あるいは各セル内の数値・数式データをグラフデータに変換表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の行列範囲の対角点を指定し「決定」キー１２ｌを操作すると、指定されたズーム対象範囲に対応する各セルの位置データがＲＡＭ２０内の表ズーム範囲データメモリ２０ｉに記憶されると共に、その範囲指定枠ａが表示される（ステップＤ１）。
【００８５】
ここで、例えば前記図９（Ｂ）で示したのと同様に、「実行」キー１２ｍの操作によりズーム表示の実行を指示すると、前記表ズーム範囲データメモリ２０ｉに記憶されたズーム対象範囲の各セルの位置データに対応する表部分のデータが表データメモリ２０ｈから読み出され、表示データメモリ２０ａにおける表示画面領域の全領域に対応付けられて拡大されて描画され、指定範囲の表ズーム画面Ｚ２が液晶表示部１３に表示される（ステップＤ２→Ｄ３）。
【００８６】
一方、前記図１１（Ａ）で示したように、表表示画面Ｇ２上の任意のセル範囲を指定して、当該指定された各セルの位置データがＲＡＭ２０内の表ズーム範囲データメモリ２０ｉに記憶されると共に、その範囲指定枠ａが表示された状態で（ステップＤ１）、図１１（Ｂ）に示すように、「グラフ」キー１２ｃを操作してグラフの表示を指示すると、前記表ズーム範囲データメモリ２０ｉに記憶されたズーム対象範囲の各セルの位置データに対応するところの表データ内各項目の数値・数式データが表データメモリ２０ｈから読み出され、グラフデータｙに変換されてグラフ表示画面Ｇ１として液晶表示部１３に表示される（ステップＤ２→Ｄ４→Ｄ５）。
【００８７】
そして、前記ステップＤ３を経て表データ内の指定範囲（ａ）に対応する表ズーム画面Ｚ２を表示させた状態、又は、前記ステップＤ５を経て表データ内の指定範囲（ａ）に対応するところの各数値・数式データをグラフデータに変換したグラフ表示画面Ｇ１を表示させた状態で、図１１（Ｃ）に示すように、「ズーム」キー１２ｅを再操作して前記指定範囲内表部分データのズーム表示の解除、又は指定範囲内データのグラフ変換表示の解除を指示すると、その何れの場合にも、表データメモリ２０ｈに記憶されている表データの全体を示す表表示画面Ｇ２が再び表示出力されると共に、当該表表示画面Ｇ２上には、前記表ズーム範囲データメモリ２０ｉに記憶されているズーム対象範囲のセル位置データに対応する範囲指定枠ａが元通りに表示される（ステップＤ６，Ｄ７）。
【００８８】
ここで、再び「ズーム」キー１２ｅを操作すると共に、前記表表示画面Ｇ２上に再表示された範囲指定枠ａをポインタＰで指定して「実行」キー１２ｍを操作すると、同一のズーム対象範囲のセル位置データに対応する表ズーム画面Ｚ２が繰り返し表示され、また「グラフ」キー１２ｃを操作すると、前記図１１（Ｂ）にて示した、同一のズーム対象範囲の表部分データに対応するグラフ表示画面Ｇ１が繰り返し表示される。
【００８９】
したがって、前記構成の電子計算装置における第４実施形態のデータ表示機能によれば、任意の表データを表表示画面Ｇ２に表示させ、当該表表示画面Ｇ２において、表データ上の任意の範囲をズーム対象範囲として指定すると、その範囲内のセル位置データが表ズーム範囲データメモリ２０ｉに記憶されると共に対応する範囲指定枠ａが表示される。そして「実行」キー１２ｍを操作すると、前記指定された範囲データに対応する表部分データの表ズーム画面Ｚ２が表示され、一方、「グラフ」キー１２ｃを操作すると、前記指定範囲の表部分データをグラフデータに変換したグラフ表示画面Ｇ１が表示され、この後、「ズーム」キー１２ｅを再操作してズーム解除またはグラフ解除を指示すると、前記表ズーム範囲データメモリ２０ｉに記憶された範囲データに基づき、前記同一の範囲指定枠ａが表示された表表示画面Ｇ２が再表示されるので、表データ上の指定範囲内のデータを拡大表示させたり、グラフデータに変換して表示することができ、しかも、ズーム表示やグラフ表示を解除した場合でも、ズーム表示の履歴を残すことで、同一のズーム対象範囲を簡単に指定して繰り返し同じ表部分データの拡大表示やグラフ変換表示を再現できるようになる。
【００９０】
（第５実施形態）
図１２は前記電子計算装置の第５実施形態による表画面表示処理を示すフローチャートである。
【００９１】
図１３は前記電子計算装置の第５実施形態の表画面表示処理に伴う表画面の操作表示状態を示す図である。
【００９２】
図１３（Ａ）に示すような、所望の表データを表示させた表表示画面Ｇ２の表示状態にあって、当該表データ上の任意のセル範囲を拡大表示、あるいは各セル内の数値・数式データをグラフデータに変換表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の行列範囲の対角点を指定し「決定」キー１２ｌを操作すると、指定されたズーム対象範囲に対応する各セルの位置データがＲＡＭ２０内の表ズーム範囲データメモリ２０ｉに記憶されると共に、その範囲指定枠ａが表示される（ステップＥ１）。
【００９３】
ここで、図１３（Ｂ２）に示すように、「実行」キー１２ｍの操作によりズーム表示の実行を指示すると、前記表ズーム範囲データメモリ２０ｉに記憶されたズーム対象範囲の各セルの位置データに対応する表部分のデータが表データメモリ２０ｈから読み出され、表示データメモリ２０ａにおける表示画面領域の全領域に対応付けられて拡大されて描画され、指定範囲の表ズーム画面Ｚ２が液晶表示部１３に表示される（ステップＥ２→Ｅ３）。
【００９４】
一方、前記図１３（Ａ）で示したように、表表示画面Ｇ２上の任意のセル範囲を指定して、当該指定された各セルの位置データがＲＡＭ２０内の表ズーム範囲データメモリ２０ｉに記憶されると共に、その範囲指定枠ａが表示された状態で（ステップＥ１）、図１３（Ｂ１）に示すように、「グラフ」キー１２ｃを操作してグラフの表示を指示すると、前記表ズーム範囲データメモリ２０ｉに記憶されたズーム対象範囲の各セルの位置データに対応するところの表データ内各項目の数値・数式データが表データメモリ２０ｈから読み出され、グラフデータｙ１，ｙ２に変換されてグラフ表示画面Ｇ１として液晶表示部１３に表示される（ステップＥ２→Ｅ４→Ｅ５）。
【００９５】
そして、前記ステップＥ３を経て、前記図１３（Ｂ２）で示したように、表データ内の指定範囲（ａ）に対応する表ズーム画面Ｚ２を表示させた状態で、図１３（Ｃ２）に示すように、「ズーム」キー１２ｅを再操作して前記指定範囲内表部分データのズーム表示の解除を指示すると、表データメモリ２０ｈに記憶されている表データの全体を示す表表示画面Ｇ２が再び表示出力されると共に、当該表表示画面Ｇ２上には、前記表ズーム範囲データメモリ２０ｉに記憶されているズーム対象範囲のセル位置データに対応する範囲指定枠ａが、その枠内を同表ズーム範囲データメモリ２０ｉにて記憶指定されている表ズーム実行時の識別色（例えば赤色）に色分けされて表示される（ステップＥ３→Ｅ６，Ｅ７，Ｅ８）。
【００９６】
一方、前記ステップＥ５を経て、前記図１３（Ｂ１）で示したように、表データ内の指定範囲（ａ）に対応するところの各数値・数式データをグラフデータに変換したグラフ表示画面Ｇ１を表示させた状態で、図１３（Ｃ１）に示すように、「ズーム」キー１２ｅを再操作して前記指定範囲内データのグラフ変換表示の解除を指示すると、表データメモリ２０ｈに記憶されている表データの全体を示す表表示画面Ｇ２が再び表示出力されると共に、当該表表示画面Ｇ２上には、前記表ズーム範囲データメモリ２０ｉに記憶されているズーム対象範囲のセル位置データに対応する範囲指定枠ａが、その枠内を同表ズーム範囲データメモリ２０ｉにて記憶指定されているグラフ変換実行時の識別色（例えば青色）に色分けされて表示される（ステップＥ５→Ｅ６，Ｅ７，Ｅ８）。
【００９７】
ここで、再び「ズーム」キー１２ｅを操作すると共に、前記表表示画面Ｇ２上に再表示された範囲指定枠ａをポインタＰで指定して「実行」キー１２ｍを操作すると、前記図１３（Ｂ２）にて示した、同一のズーム対象範囲のセル位置データに対応する表ズーム画面Ｚ２が繰り返し表示され、また「グラフ」キー１２ｃを操作すると、前記図１３（Ｂ１）にて示した、同一のズーム対象範囲の表部分データに対応するグラフ表示画面Ｇ１が繰り返し表示される。
【００９８】
したがって、前記構成の電子計算装置における第５実施形態のデータ表示機能によれば、任意の表データを表表示画面Ｇ２に表示させ、当該表表示画面Ｇ２において、表データ上の任意の範囲をズーム対象範囲として指定すると、その範囲内のセル位置データが表ズーム範囲データメモリ２０ｉに記憶されると共に対応する範囲指定枠ａが表示される。そして「実行」キー１２ｍを操作すると、前記指定された範囲データに対応する表部分データの表ズーム画面Ｚ２が表示され、一方、「グラフ」キー１２ｃを操作すると、前記指定範囲の表部分データをグラフデータに変換したグラフ表示画面Ｇ１が表示される。この後、「ズーム」キー１２ｅを再操作してズーム解除またはグラフ解除を指示すると、前記表ズーム範囲データメモリ２０ｉに記憶された範囲データに基づき、前記同一の範囲指定枠ａが、表ズーム実行後は赤色で、またグラフ変換実行後は青色で色分けされて識別表示された表表示画面Ｇ２が再表示されるので、表データ上の指定範囲内のデータを拡大表示させたり、グラフデータに変換して表示することができ、しかも、ズーム表示やグラフ表示を解除した場合でも、ズーム表示後やグラフ変換後の識別可能な履歴を残すことで、同一のズーム対象範囲を簡単に指定して繰り返し同じ表部分データの拡大表示やグラフ変換表示を再現できるようになる。
【００９９】
なお、この第５実施形態において、範囲指定枠ａの表示色を変化させることによるグラフ表示後か表ズーム後かの識別手段は、当該指定枠ａそのものの枠線の太さを変化させることにより識別する構成としてもよい。
【０１００】
（第６実施形態）
図１４は前記電子計算装置の第６実施形態による文字・数式表示処理を示すフローチャートである。
【０１０１】
図１５は前記電子計算装置の第６実施形態の文字・数式表示処理に伴う文字・数式画面の操作表示状態を示す図である。
【０１０２】
液晶表示部１３の表示画面上に、キー入力部１２の数値・記号・文字キー１２ａによる各種のキー入力データが入力表示される通常のデータ入力表示画面を表示させ、ＲＡＭ２０内のグラフデータメモリ２０ｅや表データメモリ２０ｈにて記憶されている各種のグラフデータや表データに関係するキーワードを含む文字・数式などからなるテキストデータを作成し、例えば図１５（Ａ）に示すように、文字・数式表示画面Ｇ３として表示させると、このキー入力データはＲＡＭ２０内の入力データメモリ２０ｂに記憶させる。
【０１０３】
そして、前記図１５（Ａ）で示したような、文字・数式表示画面Ｇ３の表示状態にあって、当該文字・数式データ上の任意の行列範囲を拡大表示、あるいは各行列範囲内の文字・数式をキーワードとするグラフ（図）データや表データに変換表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の行列範囲の対角点を指定し「決定」キー１２ｌを操作すると、指定されたズーム対象範囲に対応する行列の位置データがＲＡＭ２０内の文字・数式ズーム範囲データメモリ２０ｊに記憶されると共に、その範囲指定枠ａが表示される（ステップＦ１）。
【０１０４】
ここで、「実行」キー１２ｍの操作によりズーム表示の実行を指示すると、前記文字・数式ズーム範囲データメモリ２０ｊに記憶されたズーム対象範囲の各行列位置データに対応する部分の文字・数式データが入力データメモリ２０ｂから読み出され、表示データメモリ２０ａにおける表示画面領域の全領域に対応付けられて拡大されて描画され、指定範囲の文字・数式ズーム画面が液晶表示部１３に表示される（ステップＦ２→Ｆ３）。
【０１０５】
一方、前記図１５（Ａ）で示したように、文字・数式表示画面Ｇ３上の任意の行列範囲を指定して、当該指定された行列の位置データがＲＡＭ２０内の文字・数式ズーム範囲データメモリ２０ｊに記憶されると共に、その範囲指定枠ａが表示された状態で（ステップＦ１）、図１５（Ｂ）に示すように、「グラフ」キー１２ｃを操作して関係するグラフの表示を指示すると、前記文字・数式ズーム範囲データメモリ２０ｊに記憶されたズーム対象範囲の各行列の位置データに対応するところの文字・数式データが入力データメモリ２０ｂから読み出され、これをキーワードとするグラフデータｙがグラフデータメモリ２０ｅから検索されてグラフ表示画面Ｇ１として液晶表示部１３に表示される（ステップＦ２→Ｆ４→Ｆ５）。
【０１０６】
また前記同様、図１５（Ａ）で示したように、文字・数式表示画面Ｇ３上の任意の行列範囲を指定して、当該指定された行列の位置データがＲＡＭ２０内の文字・数式ズーム範囲データメモリ２０ｊに記憶されると共に、その範囲指定枠ａが表示された状態で（ステップＦ１）、「表」キー１２ｇを操作して関係する表の表示を指示すると、前記文字・数式ズーム範囲データメモリ２０ｊに記憶されたズーム対象範囲の各行列の位置データに対応するところの文字・数式データが入力データメモリ２０ｂから読み出され、これをキーワードとする表データが表データメモリ２０ｈから検索されて表表示画面Ｇ２として液晶表示部１３に表示される（ステップＦ２→Ｆ４→Ｆ６→Ｆ７）。
【０１０７】
そして、前記ステップＦ３を経て文字・数式データ内の指定範囲（ａ）に対応する文字・数式ズーム画面を表示させた状態、又は、前記ステップＦ５を経て文字・数式データ内の指定範囲（ａ）に対応するところの文字・数式データに関係するグラフデータのグラフ表示画面Ｇ１を表示させた状態、又は前記ステップＦ７を経て文字・数式データ内の指定範囲（ａ）に対応するところの文字・数式データに関係する表データの表表示画面Ｇ２を表示させた状態で、図１５（Ｃ）に示すように、「ズーム」キー１２ｅを再操作して前記指定範囲内文字・数式部分データのズーム表示の解除、又は指定範囲内データの関係グラフ表示の解除、又は指定範囲内データの関係表表示の解除を指示すると、その何れの場合にも、入力データメモリ２０ｂに記憶されている文字・数式データの全体を示す文字・数式表示画面Ｇ３が再び表示出力されると共に、当該文字・数式表示画面Ｇ３上には、前記文字・数式ズーム範囲データメモリ２０ｊに記憶されているズーム対象範囲の行列位置データに対応する範囲指定枠ａが元通りに表示される（ステップＦ８，Ｆ９）。
【０１０８】
ここで、再び「ズーム」キー１２ｅを操作すると共に、前記文字・数式表示画面Ｇ３上に再表示された範囲指定枠ａをポインタＰで指定して「実行」キー１２ｍを操作すると、同一のズーム対象範囲の行列位置データに対応する文字・数式ズーム画面が繰り返し表示され、また「グラフ」キー１２ｃを操作すると、前記図１５（Ｂ）にて示した、同一のズーム対象範囲の文字・数式部分データに関係するグラフ表示画面Ｇ１が繰り返し表示され、さらに、「表」キー１２ｇを操作すると、同一のズーム対象範囲の文字・数式部分データに関係する表表示画面Ｇ２が繰り返し表示される。
【０１０９】
したがって、前記構成の電子計算装置における第６実施形態のデータ表示機能によれば、予め作成記憶された各種のグラフデータや表データに関係するキーワードを含む文字・数式などからなるテキストデータを文字・数式表示画面Ｇ３に表示させ、当該文字・数式表示画面Ｇ３において、その表示データ上の任意の範囲をズーム対象範囲として指定すると、その範囲内の行列位置データが文字・数式ズーム範囲データメモリ２０ｊに記憶されると共に対応する範囲指定枠ａが表示される。そして「実行」キー１２ｍを操作すると、前記指定された範囲データに対応する部分の文字・数式データのズーム画面が表示され、一方、「グラフ」キー１２ｃを操作すると、前記指定範囲の文字・数式データに関係するグラフデータのグラフ表示画面Ｇ１が表示され、また、「表」キー１２ｇを操作すると、前記指定範囲の文字・数式データに関係する表データの表表示画面Ｇ２が表示され、この後、「ズーム」キー１２ｅを再操作してズーム解除またはグラフ解除または表解除を指示すると、前記文字・数式ズーム範囲データメモリ２０ｊに記憶された範囲データに基づき、前記同一の範囲指定枠ａが表示された文字・数式表示画面Ｇ３が再表示されるので、文字・数式データ上の指定範囲内のデータを拡大表示させたり、関係するグラフデータや表データを検索して表示することができ、しかも、ズーム表示やグラフ，表の検索表示を解除した場合でも、ズーム表示の履歴を残すことで、同一のズーム対象範囲を簡単に指定して繰り返し同じ表部分データの拡大表示やグラフ，表の検索表示を再現できるようになる。
【０１１０】
（第７実施形態）
図１６は前記電子計算装置の第７実施形態による文字・数式表示処理を示すフローチャートである。
【０１１１】
図１７は前記電子計算装置の第７実施形態の文字・数式表示処理に伴う文字・数式画面の操作表示状態を示す図である。
【０１１２】
ＲＡＭ２０内のグラフデータメモリ２０ｅや表データメモリ２０ｈにて記憶されている各種のグラフデータや表データに関係するキーワードを含む文字・数式などからなるテキストデータを作成し、図１７（Ａ）に示すように、文字・数式表示画面Ｇ３として表示させた状態にあって、当該文字・数式データ上の任意の行列範囲を拡大表示、あるいは各行列範囲内の文字・数式をキーワードとするグラフ（図）データや表データに変換表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の行列範囲の対角点を指定し「決定」キー１２ｌを操作すると、指定されたズーム対象範囲に対応する行列の位置データがＲＡＭ２０内の文字・数式ズーム範囲データメモリ２０ｊに記憶されると共に、その範囲指定枠ａが表示される（ステップＧ１）。
【０１１３】
ここで、「実行」キー１２ｍの操作によりズーム表示の実行を指示すると、前記文字・数式ズーム範囲データメモリ２０ｊに記憶されたズーム対象範囲の各行列位置データに対応する部分の文字・数式データが入力データメモリ２０ｂから読み出され、表示データメモリ２０ａにおける表示画面領域の全領域に対応付けられて拡大されて描画され、指定範囲の文字・数式ズーム画面が液晶表示部１３に表示される（ステップＧ２→Ｇ３）。
【０１１４】
一方、前記図１７（Ａ）で示したように、文字・数式表示画面Ｇ３上の任意の行列範囲を指定して、当該指定された行列の位置データがＲＡＭ２０内の文字・数式ズーム範囲データメモリ２０ｊに記憶されると共に、その範囲指定枠ａが表示された状態で（ステップＧ１）、図１７（Ｂ）に示すように、「グラフ」キー１２ｃを操作して関係するグラフの表示を指示すると、前記文字・数式ズーム範囲データメモリ２０ｊに記憶されたズーム対象範囲の各行列の位置データに対応するところの文字・数式データが入力データメモリ２０ｂから読み出され、これをキーワードとするグラフデータｙがグラフデータメモリ２０ｅから検索されてグラフ表示画面Ｇ１として液晶表示部１３に表示される（ステップＧ２→Ｇ４→Ｇ５）。
【０１１５】
また前記同様、図１７（Ａ）で示したように、文字・数式表示画面Ｇ３上の任意の行列範囲を指定して、当該指定された行列の位置データがＲＡＭ２０内の文字・数式ズーム範囲データメモリ２０ｊに記憶されると共に、その範囲指定枠ａが表示された状態で（ステップＧ１）、「表」キー１２ｇを操作して関係する表の表示を指示すると、前記文字・数式ズーム範囲データメモリ２０ｊに記憶されたズーム対象範囲の各行列の位置データに対応するところの文字・数式データが入力データメモリ２０ｂから読み出され、これをキーワードとする表データが表データメモリ２０ｈから検索されて表表示画面Ｇ２として液晶表示部１３に表示される（ステップＧ２→Ｇ４→Ｇ６→Ｇ７）。
【０１１６】
そして、前記ステップＧ３を経て、文字・数式データ内の指定範囲（ａ）に対応するズーム画面を表示させた状態で、「ズーム」キー１２ｅを再操作して前記指定範囲内文字・数式データのズーム表示の解除を指示すると、入力データメモリ２０ｂに記憶されている文字・数式データの全体を示す文字・数式表示画面Ｇ３が再び表示出力されると共に、当該文字・数式表示画面Ｇ３上には、前記文字・数式ズーム範囲データメモリ２０ｊに記憶されているズーム対象範囲の行列位置データに対応する範囲指定枠ａが、その枠横に同文字・数式ズーム範囲データメモリ２０ｊにて記憶指定されているズーム実行時の種別メッセージ（例えば「ズーム」）を付加させて表示される（ステップＧ３→Ｇ８，Ｇ９，Ｇ１０）。
【０１１７】
一方、前記ステップＧ５を経て、前記図１７（Ｂ）で示したように、文字・数式データ内の指定範囲（ａ）に対応するところの文字・数式データに関係するグラフデータを検索しグラフ表示画面Ｇ１として表示させた状態で、図１７（Ｃ）に示すように、「ズーム」キー１２ｅを再操作して前記指定範囲内データに基づくグラフ検索表示の解除を指示すると、入力データメモリ２０ｂに記憶されている文字・数式データの全体を示す文字・数式表示画面Ｇ３が再び表示出力されると共に、当該文字・数式表示画面Ｇ３上には、前記文字・数式ズーム範囲データメモリ２０ｊに記憶されているズーム対象範囲の行列位置データに対応する範囲指定枠ａが、その枠横に同文字・数式ズーム範囲データメモリ２０ｊにて記憶指定されているグラフ検索実行時の種別メッセージ「グラフ」ｂを付加させて表示される（ステップＧ５→Ｇ８，Ｇ９，Ｇ１０）。
【０１１８】
さらにまた、前記ステップＧ７を経て、文字・数式データ内の指定範囲（ａ）に対応するところの文字・数式データに関係する表データを検索し表表示画面Ｇ２として表示させた状態で、「ズーム」キー１２ｅを再操作して前記指定範囲内データに基づく表検索表示の解除を指示すると、入力データメモリ２０ｂに記憶されている文字・数式データの全体を示す文字・数式表示画面Ｇ３が再び表示出力されると共に、当該文字・数式表示画面Ｇ３上には、前記文字・数式ズーム範囲データメモリ２０ｊに記憶されているズーム対象範囲の行列位置データに対応する範囲指定枠ａが、その枠横に同文字・数式ズーム範囲データメモリ２０ｊにて記憶指定されている表検索実行時の種別メッセージ（例えば「表」）を付加させて表示される（ステップＧ７→Ｇ８，Ｇ９，Ｇ１０）。
【０１１９】
ここで、再び「ズーム」キー１２ｅを操作すると共に、前記文字・数式表示画面Ｇ３上に再表示された範囲指定枠ａをポインタＰで指定して「実行」キー１２ｍを操作すると、同一のズーム対象範囲の行列位置データに対応する文字・数式ズーム画面が繰り返し表示され、また「グラフ」キー１２ｃを操作すると、前記図１７（Ｂ）にて示した、同一のズーム対象範囲の文字・数式部分データに関係するグラフ表示画面Ｇ１が繰り返し表示され、さらに、「表」キー１２ｇを操作すると、同一のズーム対象範囲の文字・数式部分データに関係する表表示画面Ｇ２が繰り返し表示される。
【０１２０】
したがって、前記構成の電子計算装置における第７実施形態のデータ表示機能によれば、予め作成記憶された各種のグラフデータや表データに関係するキーワードを含む文字・数式などからなるテキストデータを文字・数式表示画面Ｇ３に表示させ、当該文字・数式表示画面Ｇ３において、その表示データ上の任意の範囲をズーム対象範囲として指定すると、その範囲内の行列位置データが文字・数式ズーム範囲データメモリ２０ｊに記憶されると共に対応する範囲指定枠ａが表示される。そして「実行」キー１２ｍを操作すると、前記指定された範囲データに対応する部分の文字・数式データのズーム画面が表示され、一方、「グラフ」キー１２ｃを操作すると、前記指定範囲の文字・数式データに関係するグラフデータのグラフ表示画面Ｇ１が表示され、また、「表」キー１２ｇを操作すると、前記指定範囲の文字・数式データに関係する表データの表表示画面Ｇ２が表示される。この後、「ズーム」キー１２ｅを再操作してズーム解除またはグラフ解除または表解除を指示すると、前記文字・数式ズーム範囲データメモリ２０ｊに記憶された範囲データに基づき、前記同一の範囲指定枠ａが、ズーム実行後はその種別メッセージ「ズーム」を付加して、またグラフ検索実行後はその種別メッセージ「グラフ」ｂを付加して、また表検索実行後はその種別メッセージ「表」を付加して区別表示された文字・数式表示画面Ｇ３が再表示されるので、文字・数式データ上の指定範囲内のデータを拡大表示させたり、関係するグラフデータや表データを検索して表示することができ、しかも、ズーム表示やグラフ，表の検索表示を解除した場合でも、ズーム表示後やグラフ検索，表検索表示後の区別可能な履歴を残すことで、同一のズーム対象範囲を簡単に指定して繰り返し同じ文字・数式部分の拡大表示やグラフ，表の検索表示を再現できるようになる。
【０１２１】
なお、この第７実施形態において、範囲指定枠ａに種別メッセージｂを付加することによるズーム表示後かグラフ表示後か表表示後かの識別手段は、範囲指定枠ａそのものの表示色を変化させたり、枠線の太さを変化させることにより識別する構成としてもよい。
【０１２２】
（第８実施形態）
図１８は前記電子計算装置の第８実施形態によるグラフ表示処理を示すフローチャートである。
【０１２３】
図１９は前記電子計算装置の第８実施形態のグラフ表示処理に伴うグラフ画面の操作表示状態を示す図である。
【０１２４】
図１９（Ａ）に示すような、グラフ表示画面Ｇ１において、グラフデータｙ上の任意の範囲を拡大表示させたい場合に、キー入力部１２の「ズーム」キー１２ｅを操作すると、表示画面上にポインタＰが表示される。そして、このポインタＰをカーソルキー１２ｊあるいはタブレット１４に対するペンタッチにより移動操作してズーム対象となる任意の矩形範囲の対角点を指定し「決定」キー１２ｌを操作すると、指定されたズーム対象範囲に対応する対角点の座標データがＲＡＭ２０内のグラフズーム範囲データメモリ２０ｆに記憶されると共に、その範囲指定枠ａが表示される（ステップＨ１）。
【０１２５】
ここで、図１９（Ｂ）に示すように、「実行」キー１２ｍの操作によりズーム表示の実行を指示すると、ズーム画面を表示画面の全体に対応させて拡大表示させるか又はそうでなく表示画面内の一部に拡大表示させるかのユーザ選択を促す（Ｙｅｓ／Ｎｏ）のメッセージが表示出力される（ステップＨ２）。
【０１２６】
そして、ズーム画面を表示画面の全体ではなく表示画面内の一部に拡大表示させることを指示する「Ｎ」キー１２ｐを操作すると、前記グラフズーム範囲データメモリ２０ｆに記憶されたズーム対象範囲に対応するグラフ部分データがグラフデータメモリ２０ｅから読み出され、現在表示中のグラフ表示画面Ｇ１内の範囲指定枠ａと重ならない領域に対応付けられて拡大描画され、指定範囲のグラフズームウインドウ画面Ｚ１ｓが表示される（ステップＨ２→Ｈ４）。
【０１２７】
一方、ズーム画面を表示画面の全体に拡大表示させることを指示する「Ｙ」キー１２ｏを操作すると、前記グラフズーム範囲データメモリ２０ｆに記憶されたズーム対象範囲に対応するグラフ部分データがグラフデータメモリ２０ｅから読み出され、表示データメモリ２０ａにおける表示画面領域の全領域に対応付けられて拡大されて描画され、指定範囲のグラフズーム画面Ｚ１が液晶表示部１３に表示される（ステップＨ２→Ｈ３）。
【０１２８】
この後、前記指定範囲（ａ）のグラフ部分データを表示画面の全体に拡大表示させたグラフズーム画面Ｚ１の表示状態、又は表示画面内の一部に拡大表示させたグラフズームウインドウ画面Ｚ１ｓの表示状態にあって、「ズーム」キー１２ｅを再操作してズーム表示の解除を指示すると、その何れの場合にも、グラフデータメモリ２０ｅに記憶されているグラフデータｙの全体を示すグラフ表示画面Ｇ１が再び描画表示されると共に、当該グラフ表示画面Ｇ１上には、前記グラフズーム範囲データメモリ２０ｆに記憶されているズーム対象範囲に対応する範囲指定枠ａが元通りに表示される（ステップＨ５，Ｈ６）。
【０１２９】
したがって、前記構成の電子計算装置における第８実施形態のデータ表示機能によれば、任意の関数式に対応するグラフデータｙをグラフ表示画面Ｇ１上に表示させ、当該グラフ表示画面Ｇ１において、グラフデータｙ上の任意の範囲をズーム対象範囲として指定すると、その範囲データがグラフズーム範囲データメモリ２０ｆに記憶されると共に対応する範囲指定枠ａが表示される。そして「実行」キー１２ｍの操作と共にそのズーム画面を表示画面の全体ではなく表示画面内の一部に拡大表示させることを操作指示すると、前記指定された範囲データに対応するグラフ部分データのグラフズームウインドウ画面Ｚ１ｓが表示される。この後、「ズーム」キー１２ｅを再操作してズーム解除を指示すると、前記グラフズーム範囲データメモリ２０ｆに記憶された範囲データに基づき、前記同一の範囲指定枠ａが表示されたグラフ表示画面Ｇ１が再表示されるので、範囲指定されたグラフ部分の拡大表示をグラフ表示画面Ｇ１上にウインドウ表示することができ、しかも、グラフのズーム表示を解除した場合でも、ズーム表示の履歴を残すことで、同一のズーム対象範囲を簡単に指定して繰り返し同じグラフ部分データの拡大表示を再現できるようになる。
【０１３０】
（第９実施形態）
図２０は前記電子計算装置の第９実施形態によるグラフ表示処理を示すフローチャートである。
【０１３１】
図２１は前記電子計算装置の第９実施形態のグラフ表示処理に伴うグラフ画面の操作表示状態を示す図である。
【０１３２】
図２１（Ａ）に示すように、キー入力部１２の「グラフ」キー１２ｃの操作に応じてグラフデータメモリ２０ｅに記憶されているグラフデータｙが読み出されグラフ表示画面Ｇ１として液晶表示部１３に表示された際に、グラフズーム範囲データメモリ２０ｆにおいて前記グラフデータｙに対し過去に指定した複数のズーム対象範囲の座標データが履歴として記憶維持されている場合には、当該履歴のそれぞれに対応する範囲指定枠ａ１，ａ２が共に表示される。
【０１３３】
このように複数の範囲指定枠ａ１，ａ２がグラフデータｙ上に表示されたグラフ表示画面Ｇ１において、当該グラフデータｙ上の指定枠ａ１，ａ２の範囲を再び拡大表示させたい場合に、キー入力部１２の「ズーム」キー１２ｅを操作すると、表示画面上にポインタＰが表示される（ステップＩ１）。
【０１３４】
そして、このポインタＰをカーソルキー１２ｊあるいはタブレット１４に対するペンタッチにより移動操作して前記範囲指定枠ａ１又はａ２の何れか拡大表示させたい一方、例えば図２１（Ｂ１）に示すように、範囲指定枠ａ２を指定し「決定」キー１２ｌを操作すると、指定された範囲指定枠ａ２のグラフ部分領域が赤色の表示色で区別されて表示される（ステップＩ２）。
【０１３５】
ここで、図２１（Ｃ１）に示すように、「実行」キー１２ｍの操作によりズーム表示の実行を指示すると、グラフズーム範囲データメモリ２０ｆに記憶されている前記範囲指定枠ａ２のズーム対象範囲に対応するグラフ部分データがグラフデータメモリ２０ｅから読み出され、表示データメモリ２０ａにおける表示画面領域の全領域に対応付けられて拡大されて描画され、指定範囲（ａ２）のグラフズーム画面Ｚａ２が液晶表示部１３に表示される（ステップＩ３）。
【０１３６】
一方、ポインタＰを移動操作して、例えば図２１（Ｂ２）に示すように、範囲指定枠ａ１を指定し「決定」キー１２ｌを操作すると、指定された範囲指定枠ａ１のグラフ部分領域が赤色の表示色で区別されて表示される（ステップＩ２）。
【０１３７】
ここで、図２１（Ｃ２）に示すように、「実行」キー１２ｍの操作によりズーム表示の実行を指示すると、グラフズーム範囲データメモリ２０ｆに記憶されている前記範囲指定枠ａ１のズーム対象範囲に対応するグラフ部分データがグラフデータメモリ２０ｅから読み出され、表示データメモリ２０ａにおける表示画面領域の全領域に対応付けられて拡大されて描画され、指定範囲（ａ１）のグラフズーム画面Ｚａ１が液晶表示部１３に表示される（ステップＩ３）。
【０１３８】
この後、「ズーム」キー１２ｅを再操作してズーム表示の解除を指示すると、グラフデータメモリ２０ｅに記憶されているグラフデータｙの全体を示すグラフ表示画面Ｇ１が再び描画表示されると共に、当該グラフ表示画面Ｇ１上には、前記グラフズーム範囲データメモリ２０ｆに記憶されている複数のズーム対象範囲に対応する各範囲指定枠ａ１，ａ２が元通りに表示される（ステップＩ４，Ｉ５）。
【０１３９】
ここで、再び「ズーム」キー１２ｅを操作すると共に、前記グラフ表示画面Ｇ１上に再表示された範囲指定枠ａ１又はａ２をポインタＰで指定して「決定」キー１２ｌそして「実行」キー１２ｍを操作すると、図２１（Ｂ１）又は（Ｂ２）で示したように、前記同一のズーム対象範囲（ａ１又はａ２）に対応するグラフズーム画面Ｚａ１又はＺａ２が繰り返し表示される。
【０１４０】
したがって、前記構成の電子計算装置における第９実施形態のデータ表示機能によれば、グラフズーム範囲データメモリ２０ｆに記憶されている過去のグラフ指定範囲に応じた複数の範囲指定枠ａ１，ａ２が共に表示されたグラフ表示画面Ｇ１において、ズーム表示させたい一方の範囲指定枠ａ１（又はａ２）を指定し「決定」キー１２ｌを操作して赤色表示により区別表示させた後、「実行」キー１２ｍを操作すると、当該赤色表示により区別表示された範囲指定枠ａ１（又はａ２）に対応するグラフ部分データのグラフズーム画面Ｚａ１又はＺａ２が表示され、この後に「ズーム」キー１２ｅを再操作してズーム解除を指示すると、前記グラフズーム範囲データメモリ２０ｆに記憶されている範囲データに基づき、前記同一の範囲指定枠ａ１，ａ２が表示されたグラフ表示画面Ｇ１が再表示されるので、過去のグラフデータ表示に際して行ったズーム指定範囲の履歴を残すことで、同一のズーム対象範囲を簡単に指定して繰り返し同じグラフ部分データの拡大表示を再現できるようになり、しかも、複数のズーム対象範囲（ａ１，ａ２）が存在する場合には、ズーム対象として指定した範囲指定枠ａ１又はａ２を赤色で区別して表示できるようになる。
【０１４１】
（第１０実施形態）
図２２は前記電子計算装置の第１０実施形態によるプログラム画面表示処理を示すフローチャートである。
【０１４２】
図２３は前記電子計算装置の第１０実施形態のプログラム画面表示処理に伴うプログラム表示画面の操作表示状態を示す図である。
【０１４３】
キー入力部１２の「プログラム」キー１２ｈの操作により液晶表示部１３に表示されたプログラム入力表示画面において、所望のプログラムデータをキー入力して作成すると、この作成表示されたプログラムデータはＲＡＭ２０内のプログラムデータメモリ２０ｋに記憶される。
【０１４４】
そして、図２３（Ａ）に示すように、液晶表示部１３に前記プログラムデータメモリ２０ｋに記憶された所望のプログラムデータがプログラム表示画面Ｇ４として表示された状態で、「範囲」キー１２ｉを操作すると、表示画面上にポインタＰが表示される。そして、このポインタＰをカーソルキー１２ｊあるいはタブレット１４に対するペンタッチにより移動操作して当該プログラムデータ内で実行対象となる任意のプログラムステップを指定し「決定」キー１２ｌを操作すると、指定された実行対象範囲に対応するプログラムステップのステップ番号がＲＡＭ２０内の実行ステップデータメモリ２０ｌに記憶されると共に、その範囲指定枠ａが表示される（ステップＪ１）。
【０１４５】
ここで、「実行」キー１２ｍを操作してプログラムの実行を指示すると、前記実行ステップデータメモリ２０ｌに記憶されたプログラムのステップ番号に応じて、前記範囲指定枠ａに対応する部分のプログラムデータのみがプログラムデータメモリ２０ｋから読み出されて実行される（ステップＪ２）。
【０１４６】
そして、前記範囲指定枠に対応する部分のみのプログラムステップの実行が終了すると、図２３（Ｂ）に示すように、プログラムデータメモリ２０ｋに記憶されているプログラムデータの全体を示すプログラム表示画面Ｇ４が再び表示されると共に、当該プログラム表示画面Ｇ４上には、前記実行ステップデータメモリ２０ｌに記憶されているステップ番号に対応する範囲指定枠ａが元通りに表示される（ステップＪ３，Ｊ４）。
【０１４７】
この後、再び前記プログラム表示画面Ｇ４上に表示されている範囲指定枠ａをポインタＰで指定して「実行」キー１２ｍを操作すると、前記同様に当該範囲指定枠ａ内のプログラムステップのみが繰り返し実行される。
【０１４８】
したがって、前記構成の電子計算装置における第１０実施形態のデータ表示機能によれば、プログラム表示画面Ｇ４として表示された所望のプログラムデータにおいて、任意のプログラムステップを範囲指定して範囲指定枠ａを表示させ、「実行」キー１２ｍを操作すると、前記指定範囲（ａ）内のプログラムデータのみプログラムデータメモリ２０ｋから読み出されて実行され、実行終了後は、前記同一のプログラムステップの範囲を範囲指定枠ａで囲んだプログラム表示画面Ｇ４が再表示されるので、プログラム上の任意のステップ範囲のみを指定して実行できるだけでなく、同じステップ範囲のプログラムを繰り返し簡単に実行させることができる。
【０１４９】
（第１１実施形態）
図２４は前記電子計算装置の第１１実施形態によるプログラム画面表示処理を示すフローチャートである。
【０１５０】
図２５は前記電子計算装置の第１１実施形態のプログラム画面表示処理に伴うプログラム表示画面の操作表示状態を示す図である。
【０１５１】
図２５（Ａ）に示すように、キー入力部１２の「プログラム」キー１２ｈを操作すると、ＲＡＭ２０内のプログラムデータメモリ２０ｋに記憶されているプログラムデータが読み出され、液晶表示部１３にプログラム表示画面Ｇ４として表示される。
【０１５２】
そして、図２５（Ｂ）に示すように、「実行」キー１２ｍを操作すると、前記プログラム表示画面Ｇ４に表示されたプログラムが前記プログラムデータメモリ２０ｋから読み出されて実行されると共に（ステップＫ１）、その実行済みのプログラムステップに対応するプログラム表示画面Ｇ４上のプログラムの範囲が順次赤色に色付けされて実行済み範囲ｃとして表示される（ステップＫ２）。
【０１５３】
この際、前記実行中のプログラムにおいて、ループ処理を行っている状態では、前記実行ステップデータメモリ２０ｌに記録されるループ処理回数ｄが前記色付け表示された実行済み範囲ｃ内に共に表示される。
【０１５４】
この後、前記プログラムの実行が終了すると（ステップＫ３）、前記実行済みのプログラム範囲を色付けして示す実行済み範囲ｃを表示させたまま、プログラム実行開始時のプログラムステップに対応するプログラム表示画面Ｇ４が再表示される（ステップＫ４，Ｋ５）。
【０１５５】
したがって、前記構成の電子計算装置における第１１実施形態のデータ表示機能によれば、プログラムデータを表示させたプログラム表示画面Ｇ４において、実行中及び実行済みのプログラムステップに対応するプログラムデータの範囲を、順次赤色で色付けして示す実行済み範囲ｃとして表示させるので、当該プログラムデータの実行進行状況を視覚的に捉えて知ることができる。
【０１５６】
なお、前記各実施形態において記載した手法、すなわち、図４のフローチャートに示す第１実施形態によるグラフ表示処理、図６のフローチャートに示す第２実施形態によるグラフ表示処理、図８のフローチャートに示す第３実施形態による表画面表示処理、図１０のフローチャートに示す第４実施形態による表画面表示処理、図１２のフローチャートに示す第５実施形態による表画面表示処理、図１４のフローチャートに示す第６実施形態による文字・数式表示処理、図１６のフローチャートに示す第７実施形態による文字・数式表示処理、図１８のフローチャートに示す第８実施形態によるグラフ表示処理、図２０のフローチャートに示す第９実施形態によるグラフ表示処理、図２２のフローチャートに示す第１０実施形態によるプログラム画面表示処理、図２４のフローチャートに示す第１１実施形態によるプログラム画面表示処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１７に格納して配布することができる。そして、コンピュータは、この外部記録媒体１７に記録されたプログラムを記録媒体読み取り部１８によって読み込み、この読み込んだプログラムによって動作が制御されることにより、前記各実施形態において説明したグラフ，表，文字・数式，プログラムなど、各種データの範囲指定及び範囲内データの表示処理機能などを実現し、前述した手法による同様の処理を実行することができる。
【０１５７】
また、前記各手法を実現するためのプログラムのデータは、プログラムコードの形態としてネットワークＮ上を伝送させることができ、このネットワークＮに接続されたコンピュータ端末の通信制御部１９を介して前記のプログラムデータを取り込み、前述したグラフ，表，文字・数式，プログラムなど、各種データの範囲指定及び範囲内データの表示処理機能などを実現することもできる。
【０１５８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、各実施形態間で幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１６３】
【発明の効果】
以上のように、本発明の請求項１に係るデータ表示装置によれば、表表示手段により表示された表上の任意の範囲を指定すると、この指定された表上の範囲が表示され、この表示された範囲内の表が拡大されて表示されるか、あるいは当該範囲内の表データに基づくグラフが表示される。そして、前記表の拡大表示または前記グラフの表示を解除すると、前記拡大前あるいはグラフ表示前に表表示された表及び前記範囲表示された表上の範囲が、その範囲を前記表の拡大表示の解除後か又は前記グラフ表示の解除後かに応じ識別可能として再表示されるので、同一の表範囲に対する拡大処理や同表範囲のデータに基づくグラフ表示処理が簡単且つ選択容易に繰り返せるようになる。
【０１６５】
また、本発明の請求項２に係るデータ表示装置によれば、文字・数式表示手段により表示された文字・数式上の任意の範囲を指定すると、この指定された文字・数式上の範囲が表示され、この表示された範囲内の文字・数式が拡大されて表示されるか、あるいは当該範囲内の文字・数式データに基づくグラフが表示されるか、あるいは当該範囲内の文字・数式データに基づく表が表示される。そして、前記文字・数式の拡大表示または前記グラフの表示または前記表の表示を解除すると、前記拡大前あるいはグラフ表示前あるいは表表示前に文字・数式表示された文字・数式及び前記範囲された文字・数式上の範囲が、その範囲を前記文字・数式の拡大表示の解除後か又は前記グラフ表示の解除後か又は前記表表示の解除後かに応じ識別可能として再表示されるので、同一の文字・数式範囲に対する拡大処理や同文字・数式範囲のデータに基づくグラフ表示処理や表表示処理が簡単且つ選択容易に繰り返せるようになる。
【０１６９】
よって、表示画面上のデータに対する指定範囲の情報が消去されることになく、容易に繰り返し同一のデータ範囲を指定して該指定範囲内のデータ処理を行うことが可能になる。
【図面の簡単な説明】
【図１】本発明のデータ表示装置の実施形態に係るグラフ表示機能付き電子計算装置１０の電子回路の構成を示すブロック図。
【図２】前記電子計算装置１０のキー入力部１２に備えられる各種のキーの配列例を示す図。
【図３】前記電子計算装置１０のＲＡＭ２０に確保される主要なデータメモリの構成を示す図。
【図４】前記電子計算装置の第１実施形態によるグラフ表示処理を示すフローチャート。
【図５】前記電子計算装置の第１実施形態のグラフ表示処理に伴うグラフ画面の操作表示状態を示す図。
【図６】前記電子計算装置の第２実施形態によるグラフ表示処理を示すフローチャート。
【図７】前記電子計算装置の第２実施形態のグラフ表示処理に伴うグラフ画面の操作表示状態を示す図。
【図８】前記電子計算装置の第３実施形態による表画面表示処理を示すフローチャート。
【図９】前記電子計算装置の第３実施形態の表画面表示処理に伴う表画面の操作表示状態を示す図。
【図１０】前記電子計算装置の第４実施形態による表画面表示処理を示すフローチャート。
【図１１】前記電子計算装置の第４実施形態の表画面表示処理に伴う表画面の操作表示状態を示す図。
【図１２】前記電子計算装置の第５実施形態による表画面表示処理を示すフローチャート。
【図１３】前記電子計算装置の第５実施形態の表画面表示処理に伴う表画面の操作表示状態を示す図。
【図１４】前記電子計算装置の第６実施形態による文字・数式表示処理を示すフローチャート。
【図１５】前記電子計算装置の第６実施形態の文字・数式表示処理に伴う文字・数式画面の操作表示状態を示す図。
【図１６】前記電子計算装置の第７実施形態による文字・数式表示処理を示すフローチャート。
【図１７】前記電子計算装置の第７実施形態の文字・数式表示処理に伴う文字・数式画面の操作表示状態を示す図。
【図１８】前記電子計算装置の第８実施形態によるグラフ表示処理を示すフローチャート。
【図１９】前記電子計算装置の第８実施形態のグラフ表示処理に伴うグラフ画面の操作表示状態を示す図。
【図２０】前記電子計算装置の第９実施形態によるグラフ表示処理を示すフローチャート。
【図２１】前記電子計算装置の第９実施形態のグラフ表示処理に伴うグラフ画面の操作表示状態を示す図。
【図２２】前記電子計算装置の第１０実施形態によるプログラム画面表示処理を示すフローチャート。
【図２３】前記電子計算装置の第１０実施形態のプログラム画面表示処理に伴うプログラム表示画面の操作表示状態を示す図。
【図２４】前記電子計算装置の第１１実施形態によるプログラム画面表示処理を示すフローチャート。
【図２５】前記電子計算装置の第１１実施形態のプログラム画面表示処理に伴うプログラム表示画面の操作表示状態を示す図。
【符号の説明】
１０  …電子計算装置
１１  …制御部（ＣＰＵ）
１２  …キー入力部
１２ａ…数値・記号・文字キー
１２ｂ…「式」キー
１２ｃ…「グラフ」キー
１２ｄ…「レンジ」キー
１２ｅ…「ズーム」キー
１２ｆ…「ポインタ」キー
１２ｇ…「表」キー
１２ｈ…「プログラム」キー
１２ｉ…「範囲」キー
１２ｊ…カーソルキー
１２ｋ…ファンクションキー
１２ｌ…「決定」キー
１２ｍ…「実行」キー
１２ｎ…「取消」キー
１２ｏ…「Ｙ」キー
１２ｐ…「Ｎ」キー
１３  …カラー液晶表示部
１４  …タブレット
１５  …位置検出回路
１６  …ＲＯＭ
１７  …外部記録媒体
１８  …記録媒体読み取り部
１９  …通信制御部
２０  …ＲＡＭ
２０ａ…表示データメモリ
２０ｂ…入力データメモリ
２０ｃ…式データメモリ
２０ｄ…レンジデータメモリ
２０ｅ…グラフデータメモリ
２０ｆ…グラフズーム範囲データメモリ
２０ｇ…ポインタデータメモリ
２０ｈ…表データメモリ
２０ｉ…表ズーム範囲データメモリ
２０ｊ…文字・数式ズーム範囲データメモリ
２０ｋ…プログラムデータメモリ
２０ｌ…実行ステップデータメモリ
２０ｍ…ワークエリアメモリ
２１  …表示駆動回路
Ｇ１…グラフ表示画面
Ｇ２…表表示画面
Ｇ３…文字・数式表示画面
Ｇ４…プログラム表示画面
Ｚ１…グラフズーム画面
Ｚ1s…グラフズームウインドウ画面
Ｚ２…表ズーム画面
Ｐ  …ポインタ
Ｍ  …指定点マーク
ａ  …範囲指定枠
ｂ  …種別メッセージ
ｃ  …実行済み範囲
【図１】
0004211224.tif 000002
【図２】
0004211224.tif 000003
【図３】
0004211224.tif 000004
【図４】
0004211224.tif 000005
【図５】
0004211224.tif 000006
【図６】
0004211224.tif 000007
【図７】
0004211224.tif 000008
【図８】
0004211224.tif 000009
【図９】
0004211224.tif 000010
【図１０】
0004211224.tif 000011
【図１１】
0004211224.tif 000012
【図１２】
0004211224.tif 000013
【図１３】
0004211224.tif 000014
【図１４】
0004211224.tif 000015
【図１５】
0004211224.tif 000016
【図１６】
0004211224.tif 000017
【図１７】
0004211224.tif 000018
【図１８】
0004211224.tif 000019
【図１９】
0004211224.tif 000020
【図２０】
0004211224.tif 000021
【図２１】
0004211224.tif 000022
【図２２】
0004211224.tif 000023
【図２３】
0004211224.tif 000024
【図２４】
0004211224.tif 000025
【図２５】
0004211224.tif 000026